(57)【特許請求の範囲】
【請求項１】
次亜塩素酸ナトリウムの薬液タンクと、塩酸の薬液タンクと、該各タンクの薬液を水道水により希釈する各希釈部と、各希釈部の希釈薬液を混合する混合部及び、混合希釈薬液の吐出口を備えた殺菌水生成装置において、前記次亜塩素酸ナトリウム薬液のメインタンクとアルカリ希釈部との管路の間にサブタンクを配設し、また、塩酸薬液のメインタンクと酸希釈部との管路の間にサブタンクを配設してなり、メインタンクを交換する際の所定時間中、薬液はサブタンクより引き続き供給されるようにしたこと、およびメインタンクの薬液の不足時には、前記残留薬液検出センサにより要交換の警報を発し、また、メインタンク交換時におけるサブタンクの薬液の量は、減算タイマーによる時間監視と、薬液揚水管路内に配設された液切れセンサ値との２重チエックを行い、不足時には警報を発し、かつ、装置を停止させるものであること、を特徴とする殺菌水生成装置。
【発明の詳細な説明】
【０００１】
【発明の属する技術分野】
本発明は、殺菌水生成装置に係り、特に薬液のメインタンクとサブタンクを配設してなる構成に関する。
【０００２】
【従来の技術】
従来、薬液タンクを交換する際には、一旦装置全体を停止させ、その間殺菌水を使用している生産ラインも停止させていた。
【０００３】
【発明が解決しようとする課題】
しかしながら、殺菌水生成装置に使用される交換可能な薬液タンクは大きさや重量に限界があり、例えば産業用として使用される２０Ｌ（２０ｋｇ）の薬液タンクを使用すると、数時間〜１０数時間毎に交換を要した。
この交換作業は薬物のため慎重さが必要であり、交換には数分間を要した。この間、装置は停止するため殺菌水は供給されず、それを使用する生産ラインも停止していた。一般に、生産ラインは連続して大量に処理するものであり、その間における中断は作業効率上望ましくなかった。
本発明は、上記課題を解決する殺菌水生成装置を提供する。
【０００４】
【課題を解決するための手段】
本発明者は、上記に鑑み鋭意研究の結果、下記に示す手段により問題を解決した。
（１）次亜塩素酸ナトリウムの薬液タンクと、塩酸の薬液タンクと、該各タンクの薬液を水道水により希釈する各希釈部と、各希釈部の希釈薬液を混合する混合部及び、混合希釈薬液の吐出口を備えた殺菌水生成装置において、前記次亜塩素酸ナトリウム薬液のメインタンクとアルカリ希釈部との管路の間にサブタンクを配設し、また、塩酸薬液のメインタンクと酸希釈部との管路の間にサブタンクを配設してなり、メインタンクを交換する際の所定時間中、薬液はサブタンクより引き続き供給されるようにしたこと、およびメインタンクの薬液の不足時には、前記残留薬液検出センサにより要交換の警報を発し、また、メインタンク交換時におけるサブタンクの薬液の量は、減算タイマーによる時間監視と、薬液揚水管路内に配設された液切れセンサ値との２重チエックを行い、不足時には警報を発し、かつ、装置を停止させるものであること、を特徴とする殺菌水生成装置。
【０００５】
【発明の実施の形態と実施例】
本発明の実施の形態を以下に説明する。
図１は、本発明の殺菌水生成装置の基本構成を示すブロック図である。
図において、１は殺菌水生成装置、２ａは次亜塩素酸ナトリウム薬液メインタンク、２ｂは塩酸薬液メインタンク、３ａは次亜塩素酸ナトリウム液、３ｂは塩酸液、４は圧送ポンプ、５は揚水管、６ａは次亜塩素酸ナトリウム薬液サブタンク、６ｂは塩酸薬液サブタンク、７ａは次亜塩素酸ナトリウム液、７ｂは塩酸液、８は揚水管、９は溢水管、１０はメインタンク接栓、１１は渇水信号線、１２はサブタンク接栓、１３は液切れセンサ、１４は薬液注入ポンプ、１５は渇水センサ、１６は開閉電磁弁、１７ａ、１７ｂは液切れ検知回路、１８ａ、１８ｂは渇水検知回路、１９ａ、１９ｂは減算タイマ、２０は警報・表示回路、２１は導水口、２２は導水管、２３はアルカリ希釈部、２４は酸希釈部、２５は混合部、２６は吐出管、２７は吐水口、２８は制御部、２９ａは次亜塩素酸ナトリウムメインタンクの交換予備タンク、２９ｂは塩酸メインタンクの交換予備タンク、を示す。
【０００６】
図示したように、次亜塩素酸ナトリウム薬液のメインタンク２ａとアルカリ希釈部２３との管路の間にサブタンク６ａを配設し、また、塩酸薬液のメインタンク２ｂと酸希釈部２４との管路の間にサブタンク６ｂを配設し、そして、前記アルカリ希釈部２３と酸希釈部２４からの希釈液を混合部２５において混合し、殺菌水として吐出管２６を経由して吐水口２７より外部に供給する。
そして、上記メインタンク２ａ又はメインタンク２ｂを交換する際の所定時間内は、前記各薬液は、殺菌水生成装置１を停止させることなくサブタンク６ａ又はサブタンク６ｂより引き続き供給される。
なお、次亜塩素酸ナトリウムメインタンクの交換予備タンク２９ａ及び、塩酸メインタンクの交換予備タンク２９ｂを点線で示した。
交換は、前記メインタンク２ａ及び２ｂの各接栓１０を着脱して行う。
【０００７】
また、前記次亜塩素酸ナトリウムのメインタンク２ａとサブタンク６ａ間及び、サブタンク６ａとサブタンク６ｂの管路間に圧送ポンプ４，４を、並びにサブタンク６ａとアルカリ希釈部２３の管路間及びサブタンク６ｂと酸希釈部２４の管路間に薬液注入用圧送ポンプ１４，１４を備え、
さらに、前記各メインタンク２ａ及び２ｂ内には残留薬液検出センサ１５、１５を備えている。
そして、前記、サブタンク６ａ及び６ｂには、メインタンク２ａ及び２ｂから各圧送ポンプ４、４により次亜塩素酸ナトリウム液７ａ及び塩酸液７ｂが常時送り込まれて満杯状態を保持しており、
このサブタンク６ａ及び６ｂの各薬液は各圧送ポンプ４、４によりアルカリ希釈部２３及び酸希釈部２４に移送管路を介して注入される。
【０００８】
また、サブタンク６ａ及び６ｂは、メインタンク２ａ及び２ｂとの間を各開閉電磁弁１６を介して循環する各薬液注入ポンプ１４の各エア抜きリターン管路と、オーバーフロー時に各溢水管９を経由し各メインタンク２ａ、２ｂに逆送するリターン管路を備えている
そして、メインタンク２ａあるいは２ｂの薬液の不足時には、前記残留薬液検出センサ（渇水センサ）１５により渇水検知回路１８ａ又は１８ｂを介して要交換の警報を警報・表示回路２０より発する。
【０００９】
前記メインタンク２ａ、２ｂ交換時におけるサブタンク６ａ、６ｂの薬液の量は、減算タイマ１９ａ又は１９ｂによる時間監視と、各薬液揚水管８路内に配設された各液切れセンサ１３の値との、２重チエックを行い、不足時には警報を警報・表示回路２０より発し、かつ、装置を停止させる。
なお、上記液切れセンサ１３は揚水管８路内の、液体と気泡の混合比を測定している。
【００１０】
前記、本実施例における殺菌水生成装置１に使用したメインタンク２ａ、２ｂの容積は２０Ｌであり、サブタンク６ａ、６ｂの容積は１Ｌであるが、サブタンクのみで前記装置に供給できる時間は約１時間である。
前述したようにメインタンクの交換時間は数分間であるから、余裕を持って交換できると共に、その間生産ラインは稼働しているので生産効率が落ちることはない。
そして、メインタンク２ａ又は２ｂの交換が終了すると、渇水センサ１５が作動して前記警報・表示回路２０をリセットし、また圧送ポンプ４を起動させてサブタンク６ａ又は６ｂへの供給が再開されて当初の状態に戻る。
なお、制御部２８は、開閉電磁弁１６や警報・表示回路２０における諸動作を制御するものである。
【００１１】
【発明の効果】
本発明によれば下記に示す優れた効果が発揮される。
本発明によれば、次亜塩素酸ナトリウム薬液のメインタンク並びに塩酸薬液のメインタンクと、各希釈部との間に、サブタンクを配設し、メインタンクを交換する際の所定時間中、薬液はサブタンクより引き続き供給される。前記、サブタンクのみで殺菌水生成装置に供給できる時間は、例えばサブタンクの容積が１Ｌの場合約１時間であり、メインタンクの交換時間は数分間であるから、余裕を持って交換できると共に、その間生産ラインは停止することなく稼働しているので効率は落ちず、生産性の向上を図ることができる。そして、メインタンクの薬液の不足時には、残留薬液検出センサにより要交換の警報を発して告知し、また、メインタンク交換時におけるサブタンクの薬液の量は、減算タイマによる時間監視と、薬液揚水管路内に配設された液切れセンサ値との２重チエックを行い、万一不足時には警報を発し、かつ、装置を停止させるため、安全性が高い。
【図面の簡単な説明】
【図１】本発明の殺菌水生成装置の基本構成を示すブロック図、
【符号の説明】
１：殺菌水生成装置
２ａ：次亜塩素酸ナトリウム薬液メインタンク
２ｂ：塩酸薬液メインタンク              ３ａ：次亜塩素酸ナトリウム液
３ｂ：塩酸液                            ４：圧送ポンプ
５：揚水管
６ａ：次亜塩素酸ナトリウム薬液サブタンク
６ｂ：塩酸薬液サブタンク
７ａ：次亜塩素酸ナトリウム液            ７ｂ：塩酸液
８：揚水管                              ９：溢水管
１０：メインタンク接栓                  １１：渇水信号線
１２：サブタンク接栓                    １３：液切れセンサ
１４：薬液注入ポンプ                    １５：渇水センサ
１６：開閉電磁弁                        １７ａ、１７ｂ：液切れ検知回路
１８ａ、１８ｂ：渇水検知回路            １９ａ、１９ｂ：減算タイマ
２０：警報・表示回路                    ２１：導水口
２２：導水管                            ２３：アルカリ希釈部
２４：酸希釈部                          ２５：混合部
２６：吐出管                            ２７：吐水口
２８：制御部
２９ａ：次亜塩素酸ナトリウムメインタンクの交換予備タンク
２９ｂ：塩酸メインタンクの交換予備タンク
【図１】
0003975330.tif 000002